(57)【要約】【課題】  本発明は、自己導尿用カテーテルがトイレに設置されている介護手摺等と垂直に近くなるように吊持でき、また、カテーテル使用中、カテーテルキャップをケースに一時収納できることを特徴とした自己導尿用カテーテルケースを提供する。【解決手段】  自己導尿用カテーテルが収納できる上部カバーと下部ホルダーから成るケースに、トイレに設置されている介護手摺や設備の隙間等を利用しカテーテルが手摺等と垂直に近くなるように吊持使用できるフックを取付けることで、カテーテル使用中、封入された保存・消毒液がこぼれないことを特徴とした自己導尿用カテーテルケース。【選択図】図４
2019162395.tif 000002
【特許請求の範囲】
【請求項１】
自己導尿用カテーテルが収納できる上部カバーと下部ホルダーから成るケースに、トイレに設置されている介護手摺や設備の隙間等を利用しカテーテルが手摺等と垂直に近くなるように吊持使用できるフックを取付けることで、カテーテル使用中、封入された保存・消毒液がこぼれないことを特徴とした自己導尿用カテーテルケース。
【請求項２】
ケースの上部カバーの下方内側と下部ホルダーの縁上部を連結部を介して一体にすることで、カテーテル使用中、上部カバーの内側を利用してカテーテルキャップを一時収納できるようにした請求項１の自己導尿用カテーテルケース。
【請求項３】
ケースの下部ホルダーの側面にはリング止めを設け、リングを介してフックを回転自在に取り付けた請求項１又は請求項２の自己導尿用カテーテルケース。
【発明の詳細な説明】
【技術分野】
【０００１】  本発明は、自己導尿用カテーテルを使いやすくするためのフック付きケースに関するものである。
【背景技術】
【０００２】  従来、病院処方の自己導尿用カテーテルは主に富士システムズ（株）のセルフカテであった。それは、カテーテルにキャップをして保存・消毒液が入ったカテーテルケース内に保管し再使用するものであり、使用の際に介護手摺に引掛けるためのフックがセットされてあった。（医療機器認証番号  ２２０ＡＤＢＺＸ００１１４０００、管理医療機器間欠泌尿器用カテーテル  ３６１２５０００）
【先行技術文献】
【特許文献】
【０００３】
【特許文献１】特開２００１−１０４４７２号公報
【発明の概要】
【発明が解決しようとする課題】
【０００４】  それには次のような問題点があった。
（イ）トイレに設置されている介護手摺に、市販されている自己導尿用カテーテルのセルフカテを付属のフックにて引掛けて使用した場合、カテーテルケースが介護手摺と平行に近くなり保存・消毒液がこぼれ損失したり、床や周囲を汚すことがあった。また、保存・消毒液がこぼれないように気をつけながらカテーテルを抜き差ししなければならなかった。
（ロ）カテーテル使用中、カテーテルケースは吊持できるが、カテーテルキャップの置き場が無い場合があった。
（ハ）外出時等持ち運びする際、カテーテルケースの破損やカテーテルキャップの外れを防ぐためポーチ等に収納することがあるが、フックがカテーテルケースと垂直にセットされていることで収納に不便だった。また、その仕様は嵩張るため持ち運びしにくかった。
（ニ）市販品や使い捨てカテーテルで代用できることもあるが、それらは病院処方のカテーテルに比べ構造が複雑で高価であった。
（ホ）本発明に近い市販品（介護手摺に垂直に吊持できるフックが付いたカテーテル）には男性用が無かった。
（ヘ）外出時に使い捨てカテーテルを使用する場合、排尿回数を予測して多めに持ち歩かなければならず、再使用できるカテーテルの方が便利であった。
本発明は、以上の問題点を解決するためのものである。
【課題を解決するための手段】
【０００５】（イ）セルフカテが収納できる大きさのケースを作成し、トイレの介護手摺等に引掛けられるフックを取付ける。
（ロ）フックは、カテーテル使用中にケースが介護手摺等と垂直に近く吊持できるような位置、また、ケースが持ち運びしやすい構造で設ける。
（ハ）カテーテル使用中にカテーテルキャップを収納できる箇所をケースに設ける。
以上の構成よりなる自己導尿用カテーテルケース。
【発明の効果】
【０００６】（イ）本発明によって、カテーテルケースの破損やキャップの外れが防げ、また、持ち運びしやすくなる。
（ロ）カテーテルケースを介護手摺等と垂直に近くなるように吊持できることによって、カテーテルの抜き差しがしやすくなり、かつ、保存・消毒液がこぼれないことでその損失を防げ、また、床や周囲を汚すことがなくなる。
（ハ）カテーテル使用中にカテーテルキャップを収納する箇所があることによって、カテーテルキャップの置き場に困らなくなる。
（ニ）例えばペーパーホルダーには大概フックが引掛けられる隙間があり、介護手摺が設置していなくても使用可能である。
（ホ）本発明を使用することによって、排尿行為の不安やストレスが大幅に軽減されるので、外出や社会生活がしやすくなる。
【図面の簡単な説明】
【０００７】
【図１】  本発明の正面図。
【図２】  本発明の背面図。
【図３】  本発明の側面図。
【図４】  本ケースにカテーテルを収納した状態の断面図。
【図５】  上部カバーを開けカテーテルを使用している状態の断面図。
【発明を実施するための形態】
【０００８】以下、自己導尿用カテーテルの実施の形態について説明する。
（イ）排尿障害を有する患者が、自身で尿道から管を入れて膀胱内にたまった尿を出すことを自己導尿といい、その管をカテーテル（１０）という。自己導尿用カテーテルは主にカテーテル（１０）、カテーテルキャップ（８）、カテーテルケース（９）、保存・消毒液（１１）、フックがセットされているが、便宜に応じていろいろな種類がある。本発明は再使用型の自己導尿用カテーテルを使いやすくするためのフック付きケースに関するものである。
（ロ）自己導尿用カテーテルは、使用前に保存・消毒液（１１）をカテーテルケース（９）内に入れ、その中にカテーテルキャップ（８）をはめたカテーテル（１０）を差し込み、消毒及び保管する。それをカテーテル本体（１２）とする。
（ハ）使用前に石鹸等で手指を十分に洗い、陰部を消毒綿等で消毒する。
（ニ）使用は、カテーテル本体（１２）を付属のフックにて介護手摺等に引掛け吊持し、カテーテルケース（９）からカテーテルキャップ（８）がはまっているカテーテル（１０）を引き抜きながら取り出し、尿道口より膀胱内にカテーテル（１０）を挿入する。カテーテルキャップ（８）は、挿入前もしくは後にカテーテル（１０）から外し排尿する。
（ホ）排尿後カテーテル（１０）を引き出し、使用後のカテーテル（１０）は内側と外側を水道水で洗い水気を切った後、カテーテルキャップ（８）をはめて保存・消毒液（１１）の入ったカテーテルケース（９）に戻し保管する。
（ヘ）カテーテルケース（９）内の保存・消毒液（１１）は１日１回交換し、カテーテル本体（１２）は約１ヶ月で廃棄し交換する。
【０００９】以下、本発明の実施の形態について説明する。
（ト）ケース本体（７）は、ケース本体（７）の上部に上部カバー（１）、下部にカテーテル本体（１２）を収納する下部ホルダー（２）から成り立っている。
（チ）図５に示すように、カテーテルケース（９）を下部ホルダー（２）に収納したままカテーテルキャップ（８）をはめたカテーテル（１０）が抜き差しできるように、下部ホルダー（２）はカテーテルケース（９）の上方が突出する長さに成っている。
（リ）図４及び図５で示すように、ケース本体（７）は上部カバー（１）の下方内側と下部ホルダー（２）の縁上部を連結するための連結ゴム（６）で連結されて一体に成っていて、上部カバー（１）が開閉自在に設けてある。ここでは一実施例として連結ゴム（６）が用いられているが、これに限定されるものでは無い。
【００１０】（ヌ）図２に示すように、下部ホルダー（２）の外周側面にリング止め（５）が固定され、そこにリング（４）を介してフック（３）が取り付けられている。このフック（３）は、例えば介護手摺の握り径２８〜３２ｃｍに取付けられるような内径であれば良い。ケース本体（７）を使用する際に、ケース本体（７）を引掛けて吊るすためのフック（３）が回転自在に設けられている。
（ル）カテーテルケース（９）に封入された保存・消毒液（１１）がカテーテル（１０）の使用中にこぼれないように、ケース本体（７）を介護手摺等と垂直に近くなるように吊持するため、リング止め（５）は下部ホルダー（２）の上方に設ける。
（ヲ）ケース本体（７）の下部ホルダー（２）はカテーテル本体（１２）を収納するためのもので、カテーテル（１０）が未使用時には上部カバー（１）を下部ホルダーに被せて密封し患者が携帯している。
（ワ）カテーテル本体（１２）はカテーテルケース（９）にカテーテル（１０）が収納され、カテーテルケース（９）の中には保存・消毒液（１１）が常時封入されている。
本発明は以上の構造である。
【００１１】  本発明を使用するときには、
（イ）ケース本体（７）のフック（３）を上部カバー（１）側に傾倒し、介護手摺等に引掛け吊持する。
（ロ）連結ゴム（６）を伸ばしながら上部カバー（１）を引っ張り開け、ケース本体（７）に収納したカテーテル本体（１２）を下部ホルダー（２）から突出させる。
（ハ）カテーテルケース（９）からカテーテルキャップ（８）がはまっているカテーテル（１０）を引き抜きながら取り出す。カテーテルケース（９）が介護手摺等と垂直に近くなるように吊持されているため、カテーテル（１０）の抜き差し時に封入された保存・消毒液（１１）がこぼれないことでその損失を防げ、また、床や周囲を汚すことがなくなる。
【００１２】（ニ）尿道口より膀胱内にカテーテル（１０）を挿入するが、カテーテルキャップ（８）は挿入前もしくは後にカテーテル（１０）から外す。外したカテーテルキャップ（８）の置き場に困る場合は、図５に示すように、上部カバー（１）の内側を利用して一時収納する。
（ホ）排尿後カテーテル（１０）を引き出し、使用後のカテーテル（１０）は内側と外側を水道水で洗い水気を切った後、カテーテルキャップ（８）をはめて保存・消毒液（１１）の入ったカテーテルケース（９）に戻し保管する。
（ヘ）カテーテル本体（１２）をケース本体（７）に収納することで、カテーテルケース（９）の破損やカテーテルキャップ（８）の外れを防げる。また、フック（３）を下部ホルダー（２）側に傾倒しコンパクトにすることで嵩張らず持ち運びがしやすくなる。
（ト）ケース本体（７）を使用することによって、上記の通り、排尿行為の不安やストレスが大幅に軽減されるので、外出や社会生活がしやすくなる。
【符号の説明】
【００１３】      １  上部カバー
２  下部ホルダー
３  フック
４  リング
５  リング止め
６  連結ゴム
７  ケース本体
８  カテーテルキャップ
９  カテーテルケース
１０  カテーテル
１１  保存・消毒液
１２  カテーテル本体
【図１】
2019162395.tif 000003
【図２】
2019162395.tif 000004
【図３】
2019162395.tif 000005
【図４】
2019162395.tif 000006
【図５】
2019162395.tif 000007
【手続補正書】
【提出日】平成30年10月11日(2018.10.11)
【手続補正１】
【補正対象書類名】特許請求の範囲
【補正対象項目名】全文
【補正方法】変更
【補正の内容】
【特許請求の範囲】
【請求項１】
病院から処方される再使用型カテーテルにカテーテルキャップをはめ収納する、保存・消毒液の入ったカテーテルケースが収納できる、上部カバーと下部ホルダーから成るケースに、トイレに設置されている介護手摺や設備の隙間を利用し、カテーテルが床と垂直に近くなるように吊持使用できるフックを取付けることで、カテーテル使用中、保存・消毒液がこぼれないように設け、ケースの上部カバーの下方内側と下部ホルダーの縁上部を連結部を介して一体にすることで、カテーテル使用中、上部カバーの内側を利用してカテーテルキャップを一時収納できるようにした自己導尿用カテーテルケース。
【請求項２】
ケースの下部ホルダーの側面にはリング止めを設け、リングを介して、介護手摺や設備の隙間に引掛けられるフックを、回転自在に取り付けることで、カテーテルが床と垂直に近くなるように吊持使用できる請求項１の自己導尿用カテーテルケース。